(57)【要約】【課題】本発明は、諸電気量の監視を簡単な構成で安価に容易にかつ信頼性を高く実施することを課題とする。【解決手段】本来の回路遮断器としての機能である開閉制御部の他に、電流を検出する変流器、電圧を検出する変圧器、及び漏洩電流を検出する零相変流器を同時に備える。また、上記から得た各種計測値を表示する機能を有し、且つ、デジタル化した信号に変換後デ−タ伝送を行うため、表示部の設置場所を計測部から離す事が可能とする。【選択図】        図１
2005304148.tif 000002
【特許請求の範囲】
【請求項１】
主回路の負荷電流を断続するスイッチ部と、該負荷電流の大きさを検出する負荷電流検出部と、該負荷電流の漏洩電流の大きさを検出する漏洩電流検出部を具備したことを特徴とする回路遮断器。
【請求項２】
主回路の負荷電流を断続するスイッチ部と、該負荷電流の漏洩電流の大きさを検出する漏洩電流検出部を具備した回路遮断器において、
前記漏洩電流検出部により検出した信号が入力可能な入力部と、前記検出信号をデジタル変換する変換部と、前記デジタル変換信号から漏洩電流を演算する演算部を有することを特徴とした回路遮断器。
【請求項３】
請求項２記載の回路遮断器において、
演算部による演算結果等の授受を行う伝送部を有することを特徴とした回路遮断器。
【請求項４】
請求項２記載の回路遮断器において、
演算部による演算結果等の表示を行う表示部を有することを特徴とした回路遮断器。
【請求項５】
請求項２記載の回路遮断器において、
演算部による演算結果等の授受を行う伝送部と、演算部による演算結果等の表示を行う表示部を有することを特徴とした回路遮断器。
【請求項６】
請求項４または請求項５記載の回路遮断器において、
演算部による演算結果等の表示を行う表示部が着脱可能であることを特徴とした回路遮断器。
【請求項７】
主回路の負荷電流を断続するスイッチ部と、該負荷電流の漏洩電流の大きさを検出する漏洩電流検出部を具備した回路遮断器において、
該漏洩電流検出部の二次巻き線を端子部に引き出すことを特徴とした回路遮断器。
【請求項８】
請求項７記載の回路遮断器において、
該漏洩電流検出部の三次巻き線または該漏洩電流検出部を貫通する貫通線に、規定の抵抗と確認ボタンを直列に接続し、該確認ボタン操作により、規定の抵抗に電圧が印加され規定の校正電流を前記該漏洩電流検出部の二次巻き線に発生させることを特徴とした回路遮断器。
【請求項９】
主回路の負荷電流を断続するスイッチ部と、該負荷電流の大きさを検出する負荷電流検出部と、該負荷電流の漏洩電流の大きさを検出する漏洩電流検出部と、
前記漏洩電流検出部により検出した信号が入力可能な入力部と、前記検出信号をデジタル変換する変換部と、前記デジタル変換信号から漏洩電流を演算する演算部と、
演算部による演算結果等の授受を行う伝送部と、演算部による演算結果等の表示を行う表示部とを有した回路遮断器と、該端子部と監視装置を接続し漏れ電流を監視するシステムにおいて、
前記漏洩電流検出部の三次巻き線または該漏洩電流検出部を貫通する貫通線に、校正抵抗と確認ボタンを直列に接続し、該確認ボタン操作により、電圧が印加され規定の校正電流を前記漏洩電流検出部の二次巻き線に発生させ前記監視装置の校正を行うことを特徴とした漏電監視システム。
【請求項１０】
主回路の負荷電流を断続するスイッチ部と、該負荷電流の大きさを検出する負荷電流検出部と、該負荷電流の漏洩電流の大きさを検出する漏洩電流検出部と、
前記漏洩電流検出部により検出した信号が入力可能な入力部と、前記検出信号をデジタル変換する変換部と、前記デジタル変換信号から漏洩電流を演算する演算部と、
演算部による演算結果等の授受を行う伝送部と、演算部による演算結果等の表示を行う表示部とを有した回路遮断器と、該端子部と監視装置を接続し、さらに上位装置と通信により接続して漏れ電流を監視するシステムにおいて、
前記漏洩電流検出部の三次巻き線または該漏洩電流検出部を貫通する貫通線に、校正抵抗と確認ボタンを直列に接続し、該確認ボタン操作により、電圧が印加され規定の校正電流を前記漏洩電流検出部の二次巻き線に発生させ前記監視装置の校正を行うと共に、上位装置に校正したことを記録することを特徴とした漏電監視システム。
【請求項１１】
主回路の負荷電流を断続するスイッチ部と、該負荷電流の漏洩電流の大きさを検出する漏洩電流検出部を具備した回路遮断器において、
溶接機及び溶接物の保護を行う連続通電防止機能を備えたことを特徴とする回路遮断器。
【請求項１２】
請求項１、請求項７、または請求項１１に記載の回路遮断器において、
回路遮断器に内蔵する零相変流器は定格電流の６倍以上の突入電流が流れた場合に不平衡を引き起こすことを防ぐための磁気シールドを減らしたことを特徴とする回路遮断器。
【請求項１３】
請求項１、請求項７、または請求項１１に記載の回路遮断器において、
回路遮断器に内蔵する漏洩電流検出部は楕円形状であり漏洩電流検出部を貫通する貫通導体はストレート形状であることを特徴とする回路遮断器。
【請求項１４】
主回路の負荷電流を断続するスイッチ部を具備した回路遮断器において、
温度センサを具備することを特徴とした回路遮断器。
【請求項１５】
請求項１４記載の回路遮断器において、
該温度センサの出力信号を端子部に引き出すことを特徴とした回路遮断器。
【請求項１６】
主回路の負荷電流を断続するスイッチ部を具備した回路遮断器において、
湿度センサを具備することを特徴とした回路遮断器。
【請求項１７】
請求項１６記載の回路遮断器において、
該湿度センサの出力信号を端子部に引き出すことを特徴とした回路遮断器。
【請求項１８】
請求項１５、または請求項１７記載の回路遮断器と、
前記温度センサまたは湿度センサの信号が入力可能な入力部と、前記入力信号をデジタル変換する変換部と、前記デジタル信号から温度または湿度を演算する演算部を有する監視装置において、
前記演算部の演算結果に従い接点を動作する接点機構部を監視装置に具備したことを特徴とする監視システム。
【請求項１９】
請求項１８記載の監視システムの監視装置の電力の供給機器、負荷機器、及び前記供給機器と前記負荷機器間の電力を搬送する電路により構成する受配電系統において、
受配電系統の電流波形信号が入力可能な入力部と、前記入力信号をデジタル変換する変換部と、前記デジタル信号から電流を演算する演算部と、請求項１８記載の演算部による温度センサまたは湿度センサの演算結果と、前記演算部による電流値との比較を行う比較部と、前記比較部の比較結果に従い接点を動作する接点機構部を具備した監視装置。
【請求項２０】
請求項１８記載の監視システムの監視装置の電力の供給機器、負荷機器、及び前記供給機器と前記負荷機器間の電力を搬送する電路により構成する受配電系統において、
受配電系統の漏洩電流波形信号が入力可能な入力部と、前記入力信号をデジタル変換する変換部と、前記デジタル信号から漏洩電流を演算する演算部と、請求項１８の演算部による温度センサまたは湿度センサの演算結果と、前記演算部による電流値との比較を行う比較部と、前記比較部の比較結果に従い接点を動作する接点機構部を具備した監視装置。
【請求項２１】
請求項１５記載の複数の回路遮断器、または請求項１７記載の複数の回路遮断器と、
前記温度センサまたは湿度センサの信号が複数入力可能な入力部と、前記入力信号をデジタル変換する変換部と、前記デジタル信号から温度または湿度を演算する演算部を有する監視装置において、
前記演算部の演算結果に従い接点を動作する接点機構部を監視装置に具備したことを特徴とする監視システム。
【請求項２２】
請求項２１記載の監視システムの監視装置の電力の供給機器、負荷機器、及び前記供給機器と前記負荷機器間の電力を搬送する電路により構成する受配電系統において、
受配電系統の電流波形信号が複数入力可能な入力部と、前記入力信号をデジタル変換する変換部と、前記デジタル信号から電流を演算する演算部と、請求項１８の演算部による温度センサまたは湿度センサの演算結果と、前記演算部による電流値との比較を行う比較部と、前記比較部の比較結果に従い接点を動作する接点機構部を具備した監視装置。
【請求項２３】
請求項２１記載の監視システムの監視装置の電力の供給機器、負荷機器、及び前記供給機器と前記負荷機器間の電力を搬送する電路により構成する受配電系統において、
受配電系統の漏洩電流波形信号が複数入力可能な入力部と、前記入力信号をデジタル変換する変換部と、前記デジタル信号から漏洩電流を演算する演算部と、請求項１８の演算部による温度センサまたは湿度センサの演算結果と、前記演算部による電流値との比較を行う比較部と、前記比較部の比較結果に従い接点を動作する接点機構部を具備した監視装置。
【請求項２４】
電力の供給機器、負荷機器、及び前記供給機器と前記負荷機器間の電力を搬送する電路により構成する受配電系統において、
受配電系統の電圧波形信号及び漏れ電流波形信号が入力可能な入力部と、前記入力信号をデジタル変換する変換部と、前記デジタル信号から抵抗分漏洩電流を演算する演算部を有し、
少なくても２回路以上の異電圧が入力可能な前記電圧波形信号の入力部を具備することを特徴とした漏電監視装置。
【請求項２５】
主回路の負荷電流を断続するスイッチ部と、外部からの信号により前記スイッチ部を断続する引き外し機構部を具備した回路遮断器と、
電力の供給機器、負荷機器、及び前記供給機器と前記負荷機器間の電力を搬送する電路により構成する受配電系統において、受配電系統の漏れ電流波形信号が入力可能な入力部と、前記入力信号をデジタル変換する変換部と、前記デジタル信号から漏洩電流を演算する演算部を有し、前記演算部の演算結果に従い接点を動作する接点機構部を具備した漏電監視装置において、
前記漏電監視装置の接点機構部と、前記回路遮断器の引き外し機構部とを接続し、
前記漏電監視装置の演算結果に従い接点を動作し、前記回路遮断器の引き外し機構部を経由し、前記回路遮断器のスイッチ部を断続する引き外しを行うことを特徴とした漏電監視システム。
【請求項２６】
電力の供給機器、負荷機器、及び前記供給機器と前記負荷機器間の電力を搬送する電路により構成する受配電系統において、
受配電系統の漏洩電流信号を入力する手段と、各負荷の負荷稼動信号を入力する手段と、絶縁状態を判断するための監視値を設定する手段と、上記漏洩電流信号の入力数値が上記設定された監視値以上の場合に絶縁異常と判断する手段と、絶縁異常と判断した場合に上記負荷稼動信号より稼動中の負荷を検出し負荷異常と判断する手段と、絶縁異常と判断した場合に警報を表示する手段と、絶縁異常と判断した場合に警報信号を出力する手段とを備えたことを特徴とする絶縁監視装置。
【請求項２７】
上記負荷稼動信号から負荷の稼動状況を判断し稼動中の時間を累積し負荷ごとの稼動時間を算出し更新時期までの残り期間を判断する手段を備えたことを特徴とする請求項２６記載の絶縁監視装置。
【発明の詳細な説明】
【技術分野】
【０００１】
本発明は、回路遮断器の状態を監視する技術に関する。また、本発明は、電気回路の絶縁状態を監視するために、回路遮断器内に零相変流器を備え、その二次側出力電流中に含まれる有効分漏洩電流値を測定し、回路遮断器内で演算処理を行い、デジタル化した信号でデ−タを上位、または下位に対し伝送する技術に関する。
【０００２】
また、本発明は、零相変流器を内蔵した回路遮断器と接続した監視装置の漏れ電流計測において、監視装置自体が正常に機能しているかどうかを確認する技術に関する。
【０００３】
また、本発明は、絶縁状態を把握する絶縁監視システムに関するものである。
【０００４】
また、本発明は、ブレーカを介して配電される各負荷における、ブレーカ内部温度、漏洩電流、およびブレーカが収納された盤内外の温湿度を監視する装置に係り、特に１台の監視装置で、複数のブレーカに対する複合的な保守情報を監視可能な監視装置に関する。
【０００５】
また、本発明は、絶縁状態を把握する絶縁監視システムに関するものである。
【背景技術】
【０００６】
本発明に対し、従来の電子式回路遮断器において、計測機能を備えるものの開示例として特開平１１−８９３０号公報（特許文献１）が挙げられる。更に漏洩電流を計測する機能を備えるものの開示例として特開２００２−２８９０８５号公報（特許文献２）が挙げられる。
図２は特許文献１の概略を示す構成図であり、図において２は回路遮断器、１は開閉制御部、２は受電側端子部、３は負荷側端子部、４は計測用変圧器、５は計測用変流器、６は電源回路部、７は電流・電圧計測回路部、８はＣＰＵ部、１１は表示部、１２は通信Ｉ／Ｆ部、１３は通信端子部、１４は上位装置、１５は計測出力部、２００は開閉機構部、２０１は制御用変流器、２０２は整流回路部、２０３は電流検出・電源回路部、２０４は瞬時引外し回路部、２０５は引外し装置、２０６は限時特性制御回路部、２０７は限時特性設定部、２０８は警報表示部を示したものである。
【０００７】
本来の回路遮断器としての機能である開閉制御部の他に、回路遮断器に通電される電流を検出する変流器及び、電圧を検出する変圧器と、変流器及び変圧器により検出された電流及び電圧を取り込む電源回路部、電流・電圧回路部と、電流及び電圧から電流値、電圧値、電力値、電力量値、力率値を演算するＣＰＵ部と、計測値を表示する表示部と、計測値を出力信号に変換して上位装置へ送る通信Ｉ／Ｆ部を備えたものである。
【０００８】
前記特許文献２の概略は、特許文献１の概略の図２に対して、計測用変流器５が計測用変流器に代わって計測用零相変流器、制御用変流器２０１が制御用変流器に代わって制御用零相変流器、となる。本来の回路遮断器としての機能である開閉制御部の他に、回路遮断器に通電される電流の漏洩電流を検出する零相変流器、及び電圧を検出する変圧器と、零相変流器及び変圧器により検出された漏洩電流及び電圧を取り込む電源回路部、漏洩電流・電圧回路部と、計測値を演算するＣＰＵ部を備えたものである。
【０００９】
特許文献１及び特許文献２はそれぞれ、変流器または零相変流器のいずれしか備わっておらず、特許文献２は通信機能を有していない。
【００１０】
また、本発明に対し、従来、配電盤、分電盤には漏電事故防止のため漏電遮断器が設置される。しかしながら重要設備では、漏電があっても回路を遮断せず警報を発し注意を喚起するようにしている。また、漏電遮断器内に警報レベルを予め設定し、漏れ電流が設定した警報レベルを超過すると予知警報を発する等の工夫が凝らされている。例えば漏電遮断器内に絶縁劣化検出装置を組み込み漏れ電流の変化を監視する漏電遮断機能付回路遮断器等も考案されている。
【００１１】
このような漏電遮断器等では、漏電遮断器自体が正常に漏電を検出し予知警報または、漏電遮断が正常に機能するかテストするためのテストボタンが具備されている。例えば漏電遮断器自体に具備されたテストボタンと並列接続された遠隔テストスイッチが設けられ、遠隔にて遮断テストを行えるものも提案されている。これらは特開平５−２５２６４６号公報（特許文献３）及び特開平８−１０６８４４号公報（特許文献４）に記載されている。
【００１２】
また、本発明に対し、図９に従来の絶縁監視システムの構成を示す。図９において４７は主回路を開閉する回路遮断器、４８は主回路の漏洩電流を検出する零相変流器、４９は漏洩電流のコンデンサ成分を極力除去し基本波成分を監視する絶縁監視装置である。回路遮断器４７と零相変流器４８は別に設置され、零相変流器の出力信号を絶縁監視装置４９に取り込み絶縁状態の監視を行っていた。例えば特開平８−２８５９０３号公報（特許文献５）では絶縁監視システムにおいて回路遮断器と零相変流器を別に設置した構成が記載されている。
【００１３】
また、本発明に対し、ブレーカの温度監視は、ブレーカに貼り付けるサーモラベルにより、１回／月などでの巡視点検により、異常発熱がないかを確認している。この場合、連続した監視が困難であり、異常予兆を見逃す場合がある。
【００１４】
ブレーカに対し、外付けの温度センサにより、温度を検出し、異常発熱時に警報を出力する監視装置では、異常発熱時の温度管理が、負荷電流の大小を考慮しない、絶対的な温度により監視を行っているため、タイムリーな警報出力が困難である。
【００１５】
漏洩電流監視装置においては、多回路入力を可能としたタイプもあるが、温度監視機能などとの複合的な機能を有した監視装置ではなく、各々単機能での監視装置であり、複数種の監視装置が必要である。
【００１６】
また、本発明に対し、従来、設備の絶縁状態を監視するためには電路と接地点との間に電圧を印加して電流を測定し、絶縁状態を測定する方法を行っていた。なお、この種の装置として関連するものには例えば、特開２００３−２１５１９６号公報（特許文献６）、特開２００４−６４８９６号公報(特許文献７)が挙げられる。
【００１７】
【特許文献１】特開平１１−８９３０号公報
【特許文献２】特開２００２−２８９０８５号公報
【特許文献３】特開平５−２５２６４６号公報
【特許文献４】特開平８−１０６８４４号公報
【特許文献５】特開平８−２８５９０３号公報
【特許文献６】特開２００３−２１５１９６号公報
【特許文献７】特開２００４−６４８９６号公報
【発明の開示】
【発明が解決しようとする課題】
【００１８】
回路を監視するにあたっては、電流、電圧、電力、電力量、力率の計測の他に、漏洩電流計測の必要性も求められており、それら全てが回路遮断器に内蔵されたセンサにより計測できれば、安価で容易に一括監視が行える。
【００１９】
加えて、本回路遮断器に上位、または下位に対する通信を有する回路を設ける事により、有効分漏洩電流値を時系列的に一元管理できる。
【００２０】
また、本回路遮断器にある表示器へのデ−タ伝送は、計測部で演算後のデジタル化した信号でデ−タを伝送することを特徴としている。
【００２１】
本発明は、前記した従来例の問題点を解決し、簡単な構成で信頼性の高い各計測値を求めることを目的とする。
【００２２】
また、上記従来技術は、漏れ電流を検出し負荷回路を遮断することに重きがおかれているが、負荷回路の絶縁劣化は長期的に亘って監視することにより判るものであり、なお且つ漏れ電流の大きさを把握するする必要がある。即ち漏れ電流を計測し、数値で表示する必要がある。従来技術はこのような計測を行う機能が損なわれていると共に、凝れ電流が極少の場合（例えば０．０ｍＡのような場合）、正しく計測できているか、監視装置の内部が故障しているか等不明である。また、監視装置内部に経年変化が生じる部品を用いた場合、計測誤差が大きくなり校正が必要であるが、監視装置設置後は不可能に近い。さらに上記監視装置を具備した配電盤や分電盤では、漏れ電流が発生しないため盤単位の出荷時検査ができない、あるいは模擬回路を構成すると大掛かりになる。本発明は、上記問題点を解決することにある。
【００２３】
また、上記従来技術では回路遮断器と零相変流器を別に設置するため設置スペースをとり、配線が零相変流器を貫通する必要があるため配線工数も増えてしまう。また既設の回路に絶縁監視システムを適用しようとした場合スペース不足により適用できない恐れがある。
【００２４】
また、本発明が解決しようとする課題は設置スペース及び配線工数を増やすことなく、また既設の回路にも確実に適用可能な絶縁監視システムを提供することにある。
【００２５】
また、本発明は、ブレーカに内蔵した温度センサより温度を検出すると共に、負荷電流、零相電流、外部温湿度も併せて取り込み可能な監視装置により、負荷電流に相当する異常発熱温度の監視、漏洩電流の監視および盤内外の温湿度の異常管理をも、１つの監視装置で監視可能で、且つ、警報出力機能および通信機能を具備した監視装置を提供する。
【００２６】
また、上記従来技術では絶縁監視を行う為、当該回路の漏洩電流のみを取り込み計測しているのが一般的であり、本来絶縁抵抗と相似特性をもつ抵抗分漏れ電流の計測が行えていないの一般的な実状である。
【００２７】
また電圧を取り込み、電圧成分と漏洩電流とで抵抗分漏れ電流を計測する装置も存在するが、通常１回路分の電圧要素、１回路分の漏洩電流を計測しているのが実態である。
【００２８】
本発明では、多バンク、多回路の絶縁監視を経済的に監視するシステムを提供するのが課題である。
【００２９】
また、上記従来技術では、絶縁監視装置の接点機構部は存在するものの警報接点として使用しているのが実態である。
【００３０】
また、遮断器で考えても漏電遮断器として漏電遮断器内部で漏電を検知し漏電遮断器内部の接点機能部を動作させ、漏電遮断器内部の引き外し機構部を用いスイッチ部の引き外しを行うのが一般的である。
【００３１】
本発明では、絶縁監視装置と回路遮断器を組合せることにより、絶縁監視装置による常時漏電監視、記録を行い、かつ漏電電流が閾値を越えた際に受配電系統をも保護することが課題である。
【００３２】
また、上記従来技術は電圧を印加しなければ絶縁状態を測定できないという問題があった。本発明の目的は電圧を印加せずに常時設備の稼動状態と絶縁状態を監視することにある。
【課題を解決するための手段】
【００３３】
上記目的を達成するために本発明では、
（１）本来の回路遮断器としての機能である開閉制御部の他に、電流を検出する変流器、電圧を検出する変圧器、及び漏洩電流を検出する零相変流器を同時に備え、各計測値を上位、または下位へ伝送する機能も備える。
（２）（１）により得た、信頼性の高い各計測値を表示する機能も備え、計測部で演算処理した後デジタル信号として表示部へ伝送するため、表示部を取り外し離れた場所へも容易に設置可能とする。
【００３４】
また、本発明では、回路遮断器の主導体を貫通させた零相変流器を内蔵し、該変流器の二次巻き線を端子部に引き出すと共に、該変流器の三次巻き線または該零相変流器を貫通する貫通線に、校正抵抗と校正ボタンを直列に接続し、該校正ボタン操作により、電圧が印加され規定の校正電流を前記変流器の二次巻き線に発生させることにより外部に接続した装置の確認が行える。
【００３５】
また、前記変流器の二次巻き線に接続された監視装置の内部に設けた負担抵抗（入力抵抗）の調節を行い校正することができる。
【００３６】
また、前記変流器の二次巻き線に接続された監視装置の内部に設けた負担抵抗（入力抵抗）の調節を行ったことを、監視装置に具備した通信機能により上位装置と通信し上位装置が記録することができる。
【００３７】
また、上記課題を解決するために本発明では電路の漏洩電流を検出する零相変流器を電路の開閉をする回路遮断器に内蔵した零相変流器内蔵回路遮断器を使用したシステム構成としている。
【００３８】
また、本発明は、ブレーカ内部に温度センサの内蔵を可能とし、ブレーカ内部の温度を電気信号により出力する機能を有したブレーカである。
【００３９】
また、本発明では、１つの監視装置に、複数台のブレーカからの温度情報、零相電流、負荷電流の取り込みを可能としたことにより、負荷電流に対する温度、負荷電流に対する漏洩電流の比較を可能とし、実際の負荷に見合った警報レベルの設定を具現化した監視装置である。
【００４０】
更に、本発明は、外部の温湿度も取り込み可能としたことにより、盤内温度の異常上昇や過湿度に対しても、外部への警報出力を可能としたほか、通信機能を有することにより、伝送線を介し、パソコン上にリアルタイムにデータを表示することを可能とした監視装置である。
【００４１】
また、上記課題を解決するために本発明では、少なくても２回路以上の異電圧が入力可能な前記電圧波形信号の入力部を具備し漏洩電流波形と合わせ抵抗分漏洩電流を演算する手段を設ける。
【００４２】
また、上記課題を解決するために本発明では、漏電監視装置に接点機構部を具備し、回路遮断器には引き外し機構部を具備し、接続する手段を設ける。
【００４３】
また、上記目的を達成するために、本発明は、設備の絶縁状態の監視において、漏洩電流と負荷稼動信号を入力し、設定された監視値と比較し、かつ各負荷の稼動状態を監視することにより、負荷の絶縁状態を監視することとしたものである。
【発明の効果】
【００４４】
本発明によれば、回路遮断器に変圧器、変流器、及び零相変流器等の各種センサを内蔵することにより、簡単な構成で信頼性の高い各種計測値が測定できる。
【００４５】
また、各計測値を表示部に表示する事が可能であり、且つ、演算処理後のデジタル信号としてデ−タ伝送を行う事が可能なため、表示部を取り外し離れた場所へも容易に設置可能となる。
【００４６】
また、各計測値、特に漏洩電流値も長時間に渡って監視することにより、絶縁劣化の経時的変化を捉え警戒することが容易となり、事前に点検保守を実施する等、事故を未然に防止することが可能である。
【００４７】
また、本発明によれば、回路遮断器に内蔵した零相変流器の二次巻き線と接続した監視装置により、漏れ電流の変化を計測し負荷回路の絶縁状態を把握、劣化の予知を行うことできると共に、回路遮断器に内蔵した校正用ボタンにより監視装置が正しく計測を行っているかが判断できる。また、監視装置内部の部品に経年変化があっても校正が容易である。また、配電盤または分電盤の出荷時検査が簡単に行え、現地に据付後のトラブルが皆無となる。また、監視装置と上位装置で通信を行い校正記録を残すことができ、信頼性の高い予防保全と管理が行える。
【００４８】
また、本発明によれば、零相変流器の設置スペース及び配線工数を増やすことなく絶縁監視システム構成することが可能となり既設の回路に対しても確実に適用可能となる。
【００４９】
また、本発明によれば、回路遮断器の劣化監視が行える。
【００５０】
また、本発明によれば、１台の絶縁監視装置で多バンク、多回路の絶縁監視が行え、経済的な監視システムが構築できる。
【００５１】
また、本発明によれば、監視装置による常時漏電監視、記録が行え、かつ回路遮断器に対し安価に漏電トリップをすることが可能となり、監視、記録、制御が一体となったシステムを提供できる。
【００５２】
また、本発明によれば、電圧を印加せずに絶縁状態を監視することができるので電圧印加用の設備が必要ないという効果がある。
【発明を実施するための最良の形態】
【００５３】
以下、本発明の実施の形態について、実施例を用い、図を参照して説明する。
【実施例１】
【００５４】
図１は本発明の請求項１〜６による実施例を示すものであり、また図２は従来の計測機能付回路遮断器を示す構成図である。
【００５５】
図１、図２において２０は回路遮断器、１は開閉制御部、２は受電側端子部、３は負荷側端子部、４は計測用変圧器、５は計測用変流器、６は電源回路部、７は電流・電圧計測回路部、８はＣＰＵ部、１１は表示部、１２は通信Ｉ／Ｆ部、１３は通信端子部、１４は上位装置、１５は計測出力部、２００は開閉機構部、２０１は制御用変流器、２０２は整流回路部、２０３は電流検出・電源回路部、２０４は瞬時引外し回路部、２０５は引外し装置、２０６は限時特性制御回路部、２０７は限時特性設定部、０８は警報表示部を示したものである。
【００５６】
本発明の実施例である図１中の９は計測用零相変流器、１０は漏洩電流計測回路部は従来例の図２に示す計測機能付回路遮断器に対し追加した部分であり、回路遮断器に通電される電流の漏洩電流を検出する零相変流器９及び、零相変流器により検出された漏洩電流を取り込む漏洩電流回路部１０を備えたものである。
【００５７】
次に本発明の機能拡張例を図３で説明する。
【００５８】
図３は漏洩電流値の時間に対する変化を示す特性図であり、横軸に時間を、縦軸に有効分漏洩電流値（ｍＡ）を示す。前記実施例１では、漏洩電流値を測定し、絶縁劣化状態を把握することを第一の目的としているが、一般的に絶縁劣化は一線地絡以外は短時間に生ずるものではなく、長時間に渡って生ずるものである。従って、予め設定した警報レベルに達成するまでの時間が予測できれば、前もって停電等の計画を策定し、絶縁劣化が進行している該当品を交換するなどの処置が行え、事故等を未然に防止できる。
【００５９】
更に、通信Ｉ／Ｆ部を有しているので上位装置にて計測値を監視できるようにする。これにより、現場まで赴く必要無く効率的に絶縁劣化状態の監視が行えるものである。
【実施例２】
【００６０】
図４は本発明の請求項７〜１０による回路遮断器の構成及び漏電監視システムを示す。
【００６１】
図４において、２１は回路遮断器、２２は電源側に接続される端子、２３は開閉接点、２４は過電流を検出するバイメタルで負荷電流が規定値を超えた時前記開閉接点２３を開状態にする。２５は、前記した端子２２と負荷側の端子２６を結ぶ主導体で、後述する零相変流器２７を貫通して配置される。なお、図４は三相３線または単相３線用の回路遮断器を示すため主導体３つが零相変流器２７を貫通する。２７は零相変流器で、二次巻き線２７１と、三次巻き線２７２で構成され、二次巻き線２７１は端子部３０に引き出されている。２８は本発明の特徴である校正用ボタンで、前記した三次巻き線２７２の一端に接続され、他端は前記した主導体２５の一つに接続される。２９は校正抵抗で前記した三次巻き線２７２の一端に接続され、他端は前記した主導体２５の一つに接続される。上記した三次巻き線２７２、校正用ボタン２８、校正抵抗２９は直列に接続され、前記した主導体２５の両側に電圧を印加した状態で校正用ボタンを押下すると、校正抵抗に応じた規定の電流が三次巻き線２７２に流れ、二次巻き線２７１に規定の電流が発生する。例えば、三次巻き線２７２の巻き数を１ターン、二次巻き線２７１の巻き数を１０００ターン、校正抵抗２０ｋΩ、電圧２００Ｖとした場合、三次巻き線２７２には１０ｍＡの電流が流れ、二次巻き線２７１には１０ｍＡ／１０００ターン即ち０．０５ｍＡが発生する。従って前記した端子３０と接続線３１で接続した監視装置３２はこの電流により動作を確認できる。なお、監視装置は漏電リレーあるいは、漏電計測装置であっても良い。また、零相変流器の三次巻き線は、零相変流器の外部で構成した貫通線であっても良い。
【００６２】
次に図５を用いて監視装置３２について説明する。３２１は負担抵抗（入力抵抗）で、前記した変流器２７の二次巻き線２７１の電流を電圧変換し、増幅部３２２、変換部３２３、表示部３２４、操作部３２５で構成し、前記した零相変流器２７の貫通電流値に換算して表示を行う。即ち１０ｍＡを表示する。ここで零相変流器２７の貫通（検出）電流は校正用ボタン２８を押下することによって三次巻き線２７２の電流を検出したものであり、通常は主導体２５に接続された負荷側の漏れ電流を検出するものである。次に負担抵抗３２１について説明する。負担抵抗３２１は可変抵抗で構成し、前記した規定された電流値と表示値が合致しない時、前記した校正用ボタンを押下した状態で合致するよう調整を行う。なお、校正用ボタンは反転式のボタンが好適である。また負担抵抗３２１は可変抵抗でありツマミが漏電監視装置の前面に配置構成するものである。
【実施例３】
【００６３】
次に図６は、前記した回路遮断器と漏電監視装置で構成する漏電監視システムを示す。３３は変圧器、３４は配電盤で前記した回路遮断器２１を複数設置したものである。３６は前記した漏電監視装置３２を基本とし入力数を増し複数の回路遮断器２１の監視が行えるようにした多回路用漏電監視装置で、通信機能を有する。３７は通信媒体で、３８はパソコンなどの上位装置である。２８は前記した校正用ボタンで回路遮断器２１の前面から操作できるよう配置されたものである。また各回路遮断器２１は多回路漏電監視装置３６に接続される。このように構成したシステムにおいて、実稼動状態では変圧器３３から負荷設備３５に回路遮断器２１を介して給配電されるとともに、回路遮断器２１に内蔵された変流器２７の二次巻き線２７１の出力電流を絶えず多回路漏電監視装置３６が計測を行い監視する。ところで、配電盤を製造し出荷する段階では、配電盤単体での検査が必要であるが、変圧器３３、負荷設備３５及び漏れ電流がないため次のように行う。まず変圧器３３の代わりに商用の電源を接続し、回路遮断器２１を閉状態にし、監視装置で計測を行うがゼロの値を示すので、前記説明した回路遮断器２１に具備された校正用ボタン２８を押下して規定の電流を表示することを確認する。このようにして全ての回路遮断器２１と多回路用漏電監視装置３６の入力について確認を行うことにより正常に計測・監視が行われていることを確認する。そして、配電盤出荷、据付後の実稼動においては、前記したとおりであるが、絶縁劣化状態は長期に亘り計測・監視して把握できるものであり、万一監視装置内部の部品に永年変化が生じた場合、前記した校正用ボタン２８により多回路用漏電監視装置３６の負担抵抗を校正すると共に、操作部３２５により上位装置に校正したことを通信するものである。なお、通信の内容については、漏電監視装置固有の番号と校正情報であることを通信すれば、上位装置３８で校正年月日を付して記録するものである。
【実施例４】
【００６４】
図７及び図８は本発明の請求項１１〜１３の実施例の説明図である。図７において３９は主回路を開閉する回路遮断器、４０は回路遮断器３９に内蔵された零相変流器、４１は零相変流器４０の出力信号線が接続された端子台、４２は漏洩電流のコンデンサ成分を極力除去し基本波成分を監視する絶縁監視装置である。
【００６５】
零相変流器４０は回路遮断器３９に内蔵され零相変流器４０の出力信号を端子台４１を経由し絶縁監視装置４２に取り込み絶縁状態の監視を行う構成となっている。ここで回路遮断器３９の外形寸法は図９に示す従来技術の回路遮断器４７と外形寸法は同一となっている。このため従来技術の零相変流器４８の設置スペースが不要となり盤の省スペース化を図れ、かつ零相変流器を貫通させる配線作業も不要となるため配線工数の削減を図ることができる。また、既設の回路に対しても回路遮断器の外形寸法が変わらないためそのまま交換することができ確実に絶縁監視システムを導入可能となる。
【００６６】
図８は図７の構造図である。
【００６７】
図８において４３は主回路を開閉する回路遮断器、４４は回路遮断器４３に内蔵された零相変流器、４５は零相変流器を貫通する貫通導体、４６は零相変流器４４の出力信号線が接続された端子台である。
【００６８】
回路遮断器内部に零相変流器４４が内蔵され、更に貫通導体４５が零相変流器４４を貫通し零相変流器４４の出力信号線は端子台４６に接続され絶縁監視装置に配線可能な構造となっている。
【実施例５】
【００６９】
図１０及び図１１は本発明の請求項１１〜１３の実施例の説明図である。図１０において５０は主回路を開閉する回路遮断器、５１は回路遮断器５０に内蔵された零相変流器、５２は零相変流器５１の出力信号線が接続された端子台、５３は主回路電流を検出する変流器、５４は連続通電を検出し引き外し信号を出力する連続通電検出回路、５５は連続通電検出回路５４の信号を受け回路遮断器５０の機構を引き外し主回路接点を開き回路遮断器を遮断する引き外し装置、５６は漏洩電流のコンデンサ成分を極力除去し基本波成分を監視する絶縁監視装置である。
【００７０】
通常の過電流保護、短絡保護を目的とした回路遮断器を使用している場合、前述の第１の実施形態で絶縁監視システムを構成可能であるが、溶接機を使用するメーカ例えば自動車メーカ等では溶接機用回路遮断器を使用している。溶接機用回路遮断器とは短絡保護に加え溶接機および溶接物の保護を目的とした連続通電防止機能を備えた遮断器である。溶接機の制御装置が正常であれば回路電流は設定されたサイクルで通電、無通電を繰り返す断続的な電流となる。しかし溶接機の制御装置に故障等の不具合が生じると回路電流が連続通電されてしまい溶接機及び溶接物に損傷を与えてしまう。これを防ぐために溶接機用遮断器では回路電流が設定された時間を超えて流れると回路遮断器を遮断する連続通電防止機能が備えられている。以上のことより第１の実施形態では連続通電防止機能を備えていないため自動車メーカ等では適用することができない。第２の実施形態では第１の実施形態の構成に加え変流器５３、連続通電検出回路５４、引き外し装置５５を付加した構成となっている。主回路電流は変流器５３により微少電流に変換され連続通電検出回路に入力される。一定値以上の電流が設定時間を超えて流れ続けると連続通電検出回路から信号が出力され引き外し装置５５が動作し回路遮断器５０は遮断される。
【００７１】
以上の構成により溶接機を使用した回路に対しても省スペース、省配線の絶縁監視システムを導入可能となる。
【００７２】
図１１は図１０の構造図である。
【００７３】
図１１においては５７は主回路を開閉する回路遮断器、５８は回路遮断器５７に内蔵された零相変流器、５９は零相変流器を貫通する貫通導体、６０は零相変流器５８の出力信号線が接続された端子台、６１は主回路電流を検出する変流器、６２は連続通電を検出し引き外し信号を出力する連続通電検出回路、６３は連続通電検出回路６２の信号を受け回路遮断器５７の機構を引き外し主回路接点を開き回路遮断器を遮断する引き外し装置である。
【実施例６】
【００７４】
図１２、図１３及び図１４は本発明の請求項１１〜１３の実施例の説明図である。図１２は零相変流器の外観図、図１３及び図１４は零相変流器の断面図であり６５、７１はコア、６６、７２はコアケース、６７、７３は巻線、６８は磁気シールド、６９、７４は外側ケース、７０、７５は充填剤である。前述の第１の実施形態及び第２の実施形態では漏電遮断器用の零相変流器を共用しているため図１３の様にコア６５、コアケース６６、巻線６７の外側に磁気シールド板６８を多数施し、これらを外側ケース６９に入れ充填剤７０で充填した構造となっている。漏電遮断器ではＪＩＳ  Ｃ８３７１に平衡特性に規格が定められている。平衡特性とは漏電遮断器に定格電流の６倍（定格電流が５０Ａ以下の場合は８倍）の電流が流れた場合でも漏電遮断器が誤動作しないことを規定したものである。この特性を満足するため漏電遮断器用の零相変流器には磁気シールドを施す必要があり、どうしても零相変流器が大型化してしまい原価的にも高価なものとなっている。
【００７５】
絶縁監視システムにおいては漏電遮断器を使用しないため図１３の様に磁気シールドを施した零相変流器を使用する必要がなく図１４の様にコア６５、コアケース６６、巻線６７をそのまま外側ケース７４に入れ充填剤７５を充填した構造の絶縁監視システム専用零相変流器を回路遮断器に内蔵することによりコストを削減することが可能となる。
【実施例７】
【００７６】
図１５、図１６及び図１７は本発明の請求項１１〜１３の実施例の説明図である。図１５は従来の零相変流器及び貫通導体の配置図、図１６は本発明の零相変流器及び貫通導体の配置図、図１７は本発明の構造図であり７６、７８、８０は零相変流器、７７、７９、８１は貫通導体である。従来は図１５の様に平衡特性を満足するため零相変流器を正円形状としており貫通導体は幾何学的にバランスのとれるよう零相変流器中心を貫通している。このため貫通導体は図８のように大きく曲げ加工されており零相変流器を貫通する事が困難なため貫通導体を貫通した後に専用治具で曲げ加工を施しており工数アップとなっていた。本発明では平衡特性を満足する必要がないため図１６の様に零相変流器を楕円形状とし、図１７の様に貫通導体をストレート形状とすることにより貫通導体を零相変流器に貫通する作業が容易となり工数低減を図るが可能となる。
【実施例８】
【００７７】
図１８は本発明の請求項１４〜２３の構成図を示す。
【００７８】
図１８において、８２は漏電・温室度監視装置、８３は回路遮断器、８４は回路遮断器８３に内蔵した温度センサ、８５は回路遮断器８３に内蔵した零相変流器、８６は配電線に設置した変流器、８７は漏電・温室度監視装置８２と接続した外部湿度センサ、８８は漏電・温室度監視装置８２と接続した外部温度センサ、８９は漏電・温室度監視装置８２と接続した警報出力部、９１は漏電・温室度監視装置８２の情報を送受信を行うパソコン、９０は漏電・温室度監視装置８２とパソコン間を接続する伝送線を示す。
【００７９】
動作について次に説明する。
【００８０】
漏電・温室度監視装置８２は回路遮断器８３に内蔵した温度センサ８４、または回路遮断器８３に内蔵した零相変流器８５、または配電線に設置した変流器８６の入力信号により、常時もしくは間欠的にその大きさを演算する。個々の演算結果により警報出力部８９を動作、または漏電電流、温度、または電流と温度との相互関係により動作させる。
【００８１】
これにより、回路遮断器、または配電線が異常をきたす前の前兆を監視でき、予防保全が可能となる。
【００８２】
また、漏電・温室度監視装置８２と接続した外部湿度センサ８７、または外部温度センサ８８により、外部湿度センサ８７、または外部温度センサ８８の入力信号自体による警報出力部８９の動作、または回路遮断器８３に内蔵した温度センサ８４、または回路遮断器８３に内蔵した零相変流器８５、または配電線に設置した変流器８６の入力信号との比較が行う、盤内と回路遮断器８３との温室度差による警報出力部８９の動作が可能となる。
【００８３】
これにより、より正確な回路遮断器、または配電線が異常をきたす前の前兆を監視でき、予防保全が可能となる。
【００８４】
本実施例では、警報出力部８９が漏電・温室度監視装置８２の外部に出ているが、漏電・温室度監視装置８２の内部にあっても同様の動作、効果が期待できる。
【００８５】
また、本実施例では、変流器８６が漏電・温室度監視装置８２の外部にでているが、漏電・温室度監視装置８２の内部に実装しても同様の動作、効果が期待できる。
【００８６】
また実施例では、回路遮断器８３に内蔵した温度センサ８４とは別にもしくは合わせて湿度センサを実装しても予防保全効果が期待できる。
【実施例９】
【００８７】
図１９は本発明の請求項２４の構成図を示す。
【００８８】
図１９において、９２は電力の供給機器である変圧器、９３は負荷機器、９４は変圧器９２と負荷機器９３間の電力を搬送する電路、９５は漏電監視装置、９６は電路９４の電圧を入力するための漏電監視装置９５内の電圧入力部、９７は電路９４の漏電を検出する零相変流器、９８は前記零相変流器９７の信号を入力するための漏電監視装置９５内の電流入力部、９９は前記電圧入力部９６及び前記電流入力部９８からの信号をデジタル変換する変換部、１００は前記デジタル変換部９９により変換したデジタル信号を演算する演算部、１０１は演算部１００で演算した結果等を表示する表示部、１０２は演算部１００で演算した結果等を上位装置へ伝送する伝送部、１０３は前記上位装置、１０４は漏電監視装置９５内の設定部である。
【００８９】
動作について次に説明する。
【００９０】
一般的に供給機器は複数存在つまり複数電圧存在し、電路９４も負荷機器９３へ電力を送るため複数分岐する。
【００９１】
電圧入力部９６では前記複数存在する電圧を入力する。電流入力部９８も前記電圧入力部９６で入力している電圧系統の電路の漏電電流を零相変流器９７により入力する。
【００９２】
前記電圧入力部９６、及び電流入力部９８により入力した信号は変換部９９によりデジタル変換し、演算部１００により実効値等の数値に演算する。
ここで、どの電流入力部９８がどの電圧系統に属するのかは設定部１０４により設定した情報に基づき設定することにより適切な演算が行える。
【００９３】
演算部１００により演算した結果は表示部１０１により表示したり伝送部１０２により上位装置１０３に伝送される。上位装置１０３では演算結果を表示したり設定等のユーザインターフェースとして使用する。
【００９４】
これにより、漏電監視装置９５は複数電圧系統に跨る複数回路の漏電監視を行うことが可能となる。
【実施例１０】
【００９５】
図２０は本発明の請求項２５の構成図を示す。
【００９６】
図２０において、１０５は回路遮断器、１０６は回路遮断器１０５に内蔵したスイッチ部、１０７は回路遮断器に内蔵した引き外し機構部、１０８は電力の供給機器である変圧器、１０９は負荷機器、１１０は変圧器１０８と負荷機器１０９間の電力を搬送する電路、１１１は電路１１０の漏電を検出する零相変流器、１１２は漏電監視装置、１１３は零相変流器１１１の信号を入力する入力部、１１４は前記入力部１１３の信号をデジタル変換する変換部、１１５は前記変換部１１４により変換したデジタル信号を演算する演算部、１１６は演算部１１５で演算した結果等に従い動作する接点機構部、１１７は演算部１１５で演算した結果等を表示する表示部、１１８は演算部１１５で演算した結果等を上位装置へ伝送する伝送部、１１９は前記上位装置、１２０は漏電監視装置１１２内の設定部である。
【００９７】
動作について次に説明する。
【００９８】
電力の供給機器である変圧器１０８から負荷機器１０９間の電路１１０、もしくは負荷機器１０９自身で漏電が発生した場合零相変流器１１１で漏電が検出できる。検出した漏電電流の大きさに従い零相変流器１１１の二次配線に電流が流れ、漏電監視装置１１２に内蔵した入力部１１３で零相変流器１１１の二次配線電流を入力し、増幅等の処置を行う。入力部１１３で一旦受けた後変換部１１４によりデジタル変換し、演算部１１５により実効値等の数値に演算する。この演算結果に応じ接点機構部１１６が動作する。通常はこの接点機構部１１６はブザー、ランプ等の警報手段として使用する場合があるが、本発明では接点機構部１１６の動作により、回路遮断器１０５の引き外し機構部１０７を動作させ、回路遮断器１０５のスイッチ部を動作させスイッチ部を閉状態から開状態へと状態移行することを特徴としている。
【００９９】
これにより、絶縁監視装置による常時漏電監視、記録を行い、かつ漏電電流が閾値を越えた際に受配電系統をも保護することが可能となる。
【実施例１１】
【０１００】
以下、本発明の請求項２６の実施例を図２１により説明する。
【０１０１】
計測を開始する前に、監視値入力操作１３１にて監視値設定手段１２４を用いて、漏洩電流の監視値を設定し、演算エリア１２５を中継して記憶エリア１２６に記憶する。
【０１０２】
計測手順としてまず最初に、漏洩電流信号入力手段１２２では漏洩電流信号１２９を１周期を分割してサンプリング入力し、演算エリア１２５にてサンプリングデータから漏洩電流を測定し、上記測定漏洩電流を記憶エリア１２６に記憶する。また、負荷稼動信号入力手段１２３では各負荷からの負荷稼動信号１３０を入力し、ＯＦＦの場合は停止中、ＯＮの場合は稼動中と判断し、上記各負荷の稼動状況を記憶エリア１２６に記憶する。
【０１０３】
次に、演算エリア１２５にて上記設定の監視値と上記測定の漏洩電流の値を比較し、測定漏洩電流が監視値を超過した場合、漏洩電流超過異常と判断する。さらに、漏洩電流超過異常と判断した場合、各負荷の稼動状況を確認し、稼動中の負荷に絶縁異常が発生したと判断する。漏洩電流超過異常と判断した場合、警報表示手段１２７に警報を表示し、警報出力手段１２８にて警報信号を外部に出力する。
【０１０４】
以下に上記絶縁監視装置１２１へ入力する漏洩電流信号１２９と負荷稼動信号１３０の接続例について図２２により説明する。
【０１０５】
漏洩電流信号１２９は変圧器１３４に設置された零相変流器（ＺＣＴ）１３５から入力し、全体の漏洩電流を測定する。また、負荷稼動信号１３０は複数の負荷（例えば負荷１３６ａ、１３６ｂ、および１３６ｚ）からＯＮ／ＯＦＦ信号にて稼動状況を入力する。
【０１０６】
以下に上記絶縁監視装置１２１の漏洩電流超過異常判断方法について図２３により説明する。
【０１０７】
上記絶縁監視装置１２１にて上記設定の監視値１３７と上記測定の漏洩電流１３８の値を比較し、測定漏洩電流１３８が監視値１３７を超過した場合、漏洩電流超過異常と判断する。漏洩電流超過異常と判断した場合、各負荷の稼動状況を確認し、例えば稼動中の負荷が１３６ａ、１３６ｂ、１３６ｚの場合、負荷１３６ａまたは１３６ｂまたは１３６ｚに絶縁異常が発生したと判断する。別の例として、稼動中の負荷が１３６ａのみの場合は負荷１３６ａに絶縁異常が発生したと判断する。
【実施例１２】
【０１０８】
以下、本発明の請求項２７の実施例を図２４により説明する。
【０１０９】
上記実施例１３により負荷（例えば負荷１３６ａ）からＯＮ／ＯＦＦ信号にて稼動状況を入力し、稼動中の場合は稼動時間累積値１４４を更新する。上記稼動時間累積値１４４を１次式で補正し、稼動時間１次式補正値１４５を算出する。上記稼動時間１次式補正値１４５を用いて稼動時間予測値１４６を算出し、予め設定しておいた更新期間１４２と比較し、残り期間１４７を算出することにより、各負荷の交換時期の推奨が可能となる。
【産業上の利用可能性】
【０１１０】
絶縁劣化による漏れ電流発生は、火災事故、人身事故に直結するもので、信頼性を高めることは重要であり予防保全に寄与できる。
【図面の簡単な説明】
【０１１１】
【図１】本発明による絶縁監視機能付回路遮断器の実施例１を示す構成図である。
【図２】従来例による計測機能付回路遮断器を示す構成図である。
【図３】本発明の機能拡張例を示す実施例２の特性図である。
【図４】本発明の実施例１の校正用ボタンと校正抵抗を内蔵した回路遮断器の電気回路図と、漏電監視装置を接続した図を示す。
【図５】本発明の実施例２の漏電監視装置のブロック図を示す。
【図６】本発明の実施例３の回路遮断器と漏電監視装置と上位装置で構成した漏電監視システムを示す図である。
【図７】本発明の実施例４のブロック図である。
【図８】本発明の実施例４の構造図である。
【図９】本発明の請求項１１〜１３、２４、２５に対する従来技術のブロック図である。
【図１０】本発明の実施例５のブロック図である。
【図１１】本発明の実施例５の構造図である。
【図１２】本発明の実施例６の零相変流器の外観図である。
【図１３】本発明の実施例４、５の零相変流器断面図である。
【図１４】本発明の実施例６の零相変流器断面図である。
【図１５】本発明の請求項１１〜１３に対する従来の貫通導体配置図である。
【図１６】本発明の実施例７の貫通導体配置図である。
【図１７】本発明の実施例７の構造図である。
【図１８】本発明の実施例８のブロック図である。
【図１９】本発明の実施例９のブロック図である。
【図２０】本発明の実施例１０のブロック図である。
【図２１】本発明の実施例１１の絶縁監視装置の構成図である。
【図２２】本発明の実施例１１の信号入力構成図である。
【図２３】本発明の実施例１１の信号入力例である。
【図２４】本発明の実施例１２の負荷稼動時間算出方法である。
【符号の説明】
【０１１２】
２０  回路遮断器、１  開閉制御部、２  受電側端子部、３  負荷側端子部、
４  計測用変圧器、５  計測用変流器、６  電源回路部、７  電流・電圧計測回路部、８  ＣＰＵ部、９  計測用零相変流器、１０  漏洩電流計測回路部、１１  表示部、１２  通信Ｉ／Ｆ部、１３  通信端子部、１４  上位装置、１５  計測出力部、２００  開閉機構部、２０１  制御用変流器、２０２  整流回路部、２０３  電流検出・電源回路部、２０４  瞬時引外し回路部、２０５  引外し装置、２０６  限時特性制御回路部、２０７  限時特性設定部、２０８  警報表示部、
２１  回路遮断器、２７  零相変流器、２７１  二次巻き線、２７２  三次巻き線、２９  校正用ボタン、３０  校正抵抗、３２  漏電監視装置、３２１  負担抵抗、３４  配電盤、３６  多回路用漏電監視装置、３８  上位装置、３９  回路遮断器、４０  零相変流器、４１  端子台、４２  絶縁監視装置、４３  回路遮断器、４４  零相変流器、４５  貫通導体、４６  端子台、４７  回路遮断器、４８  零相変流器、４９  絶縁監視装置、５０  回路遮断器、５１  零相変流器、５２  端子台、５３  変流器、５４  連続通電検出回路、５５  引き外し装置、５６  絶縁監視装置、５７  回路遮断器、５８  零相変流器、５９  貫通導体、６０  端子台、６１  変流器、６２  連続通電検出回路、６３  引き外し装置、６４  零相変流器、６５  コア、６６  コアケース、６７  巻線、６８  磁気シールド板、６９  外側ケース、７０  充填剤、７１  コア、７２  コアケース、７３  巻線、７４  外側ケース、７５  充填剤、７６  零相変流器、７７  貫通導体、７８  零相変流器、７９  貫通導体、８０  零相変流器、８１  貫通導体、
８２  漏電・温室度監視装置、８３  回路遮断器、８４  温度センサ、８５  零相変流器、８６  変流器、８７  外部湿度センサ、８８  外部温度センサ、８９  警報出力部、９０  伝送線、９１  パソコン、
９２  変圧器、９３  負荷機器、９４  電路、９５  漏電監視装置、９６  電圧入力部、９７  零相変流器、９８  電流入力部、９９  変換部、１００  演算部、１０１  表示部、１０２  伝送部、１０３  上位装置、１０４  設定部、
１０５  回路遮断器、１０６  スイッチ部、１０７  引き外し機構部、１０８  変圧器、１０９  負荷機器、１１０  電路、１１１  零相変流器、１１２  漏電監視装置、１１３  入力部、１１４  変換部、１１５  演算部、１１６  接点機構部、１１７  表示部、１１８  伝送部、１１９  上位装置、１２０  設定部、
１２１  絶縁監視装置、１２２  漏洩電流信号入力手段、１２３  負荷稼動信号入力手段、１２４  監視値設定手段、１２５  演算エリア、１２６  記憶エリア、１２７  警報表示手段、１２８  警報出力手段、１２９  漏洩電流信号、１３０  負荷稼動信号、１３１  監視値入力操作、１３２  警報表示、１３３  警報出力、１３４  変圧器、１３５  零相変流器（ＺＣＴ）、１３６ａ  負荷、１３６ｂ  負荷、１３６ｚ  負荷、１３７  監視値、１３８  漏洩電流、１３９  稼動状態、１４０  稼動時間、１４１  警報内容、１４２  更新期間、１４３  稼動状態、１４４  稼動時間累積値、１４５  稼動時間１次式補正値、１４６  稼動時間予測値、１４７  残り期間、１４８  現在時点
【図１】
2005304148.tif 000003
【図２】
2005304148.tif 000004
【図３】
2005304148.tif 000005
【図４】
2005304148.tif 000006
【図５】
2005304148.tif 000007
【図６】
2005304148.tif 000008
【図７】
2005304148.tif 000009
【図８】
2005304148.tif 000010
【図９】
2005304148.tif 000011
【図１０】
2005304148.tif 000012
【図１１】
2005304148.tif 000013
【図１２】
2005304148.tif 000014
【図１３】
2005304148.tif 000015
【図１４】
2005304148.tif 000016
【図１５】
2005304148.tif 000017
【図１６】
2005304148.tif 000018
【図１７】
2005304148.tif 000019
【図１８】
2005304148.tif 000020
【図１９】
2005304148.tif 000021
【図２０】
2005304148.tif 000022
【図２１】
2005304148.tif 000023
【図２２】
2005304148.tif 000024
【図２３】
2005304148.tif 000025
【図２４】
2005304148.tif 000026